【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
画像信号に基づいて静電像が形成される回転可能な感光体と、
前記感光体上に形成された静電像にトナーを付着させるように構成された現像装置と、
前記感光体に当接してニップ部を形成し、前記感光体に付着している付着物を前記感光体が移動するのに伴って除去するように構成されたクリーニングブレードと、
一連の動作で単一又は複数の記録材に画像を形成する画像形成ジョブの終了後に、前記感光体が回転を停止する前に、前記感光体上に供給トナーを形成して該供給トナーを前記ニップ部に供給する供給動作を実行する実行部と、
を有し、
前記実行部は、前記画像形成ジョブで形成された画像の数が増加するにつれて前記供給トナーの量が線形的に増加するように、前記供給トナーの量を設定することを特徴とする画像形成装置。
【請求項２】
前記実行部は、前記画像形成ジョブで形成された画像の数が所定の閾値より小さい場合には、前記供給動作を実行しないことを特徴とする請求項１に記載の画像形成装置。
【請求項３】
前記実行部は、前記画像形成ジョブで形成された画像の数が所定の下限値より小さい場合には、前記供給トナーの量を所定の下限量に設定することを特徴とする請求項１に記載の画像形成装置。
【請求項４】
前記実行部は、前記画像形成ジョブで形成された画像の数が所定の上限値より大きい場合には、前記供給トナーの量を所定の上限量に設定することを特徴とすることを特徴とする請求項１に記載の画像形成装置。
【請求項５】
前記実行部は、前記感光体の移動方向における前記供給トナーの長さを変更することで、前記供給トナーの量を変更することを特徴とする請求項１〜４のいずれか一項に記載の画像形成装置。
【請求項６】
前記実行部は、単位面積当たりのトナーの重量を変更することで、前記供給トナーの量を変更することを特徴とする請求項１〜４のいずれか一項に記載の画像形成装置。
【請求項７】
画像信号に基づいて静電像が形成される回転可能な感光体と、
前記感光体上に形成された静電像にトナーを付着させるように構成された現像装置と、
前記感光体に当接してニップ部を形成し、前記感光体に付着している付着物を前記感光体が移動するのに伴って除去するように構成されたクリーニングブレードと、
一連の動作で単一又は複数の記録材に画像を形成する画像形成ジョブの終了後に、前記感光体が回転を停止する前に、前記感光体上に供給トナーを形成して該供給トナーを前記ニップ部に供給する供給動作を実行する実行部と、
を有し、
前記実行部は、前記画像形成ジョブで形成された画像の数と前記供給トナーの量とが階段状の関係を有するように、前記供給トナーの量を設定することを特徴とする画像形成装置。
【請求項８】
前記実行部は、前記画像の数が第１の値の場合の前記供給トナーの量を、前記画像の数が前記第１の値より小さい第２の値の場合の前記供給トナーの量よりも多くするように設定することを特徴とする請求項７に記載の画像形成装置。
【請求項９】
前記実行部は、前記画像形成ジョブで形成された画像の数が所定の閾値より小さい場合には、前記供給動作を実行しないことを特徴とする請求項７又は８に記載の画像形成装置。
【請求項１０】
前記実行部は、前記画像形成ジョブで形成された画像の数が所定の下限値より小さい場合には、前記供給トナーの量を所定の下限量に設定することを特徴とする請求項７又は８に記載の画像形成装置。
【請求項１１】
前記実行部は、前記画像形成ジョブで形成された画像の数が所定の上限値より大きい場合には、前記供給トナーの量を所定の上限量に設定することを特徴とすることを特徴とする請求項７又は８に記載の画像形成装置。
【請求項１２】
前記実行部は、前記感光体の移動方向における前記供給トナーの長さを変更することで、前記供給トナーの量を変更することを特徴とする請求項７〜１１のいずれか一項に記載の画像形成装置。
【請求項１３】
前記実行部は、単位面積当たりのトナーの重量を変更することで、前記供給トナーの量を変更することを特徴とする請求項７〜１１のいずれか一項に記載の画像形成装置。
【手続補正２】
【補正対象書類名】明細書
【補正対象項目名】０００８
【補正方法】変更
【補正の内容】
【０００８】
上記目的は本発明に係る画像形成装置にて達成される。要約すれば、本発明は、画像信号に基づいて静電像が形成される回転可能な感光体と、前記感光体上に形成された静電像にトナーを付着させるように構成された現像装置と、前記感光体に当接してニップ部を形成し、前記感光体に付着している付着物を前記感光体が移動するのに伴って除去するように構成されたクリーニングブレードと、一連の動作で単一又は複数の記録材に画像を形成する画像形成ジョブの終了後に、前記感光体が回転を停止する前に、前記感光体上に供給トナーを形成して該供給トナーを前記ニップ部に供給する供給動作を実行する実行部と、を有し、前記実行部は、前記画像形成ジョブで形成された画像の数が増加するにつれて前記供給トナーの量が線形的に増加するように、前記供給トナーの量を設定することを特徴とする画像形成装置である。
【手続補正３】
【補正対象書類名】明細書
【補正対象項目名】０００９
【補正方法】変更
【補正の内容】
【０００９】
本発明の他の態様によると、画像信号に基づいて静電像が形成される回転可能な感光体と、前記感光体上に形成された静電像にトナーを付着させるように構成された現像装置と、前記感光体に当接してニップ部を形成し、前記感光体に付着している付着物を前記感光体が移動するのに伴って除去するように構成されたクリーニングブレードと、一連の動作で単一又は複数の記録材に画像を形成する画像形成ジョブの終了後に、前記感光体が回転を停止する前に、前記感光体上に供給トナーを形成して該供給トナーを前記ニップ部に供給する供給動作を実行する実行部と、を有し、前記実行部は、前記画像形成ジョブで形成された画像の数と前記供給トナーの量とが階段状の関係を有するように、前記供給トナーの量を設定することを特徴とする画像形成装置が提供される。
【手続補正４】
【補正対象書類名】明細書
【補正対象項目名】００２８
【補正方法】変更
【補正の内容】
【００２８】
クリーニングブレード６１は、回転する感光ドラム１の表面を摺擦し、感光ドラム１の表面に付着している一次転写残トナーなどの付着物を、感光ドラム１の表面からかき取ってクリーニング容器６２内に収容する。つまり、一次転写部Ｔ１における一次転写工程では、感光ドラム１上のトナー像を構成するトナーのすべてが中間転写ベルト７に転写されるわけではなく、一次転写部Ｔ１を通過した感光ドラム１上には、少量の一次転写残トナーが残っている。この一次転写残トナーは、感光ドラム１の回転に伴って感光ドラム１とクリーニングブレード６１との当接部（ニップ部）（ここでは、「クリーニング部」ともいう。）ＣＬに搬送され、クリーニングブレード６１によって感光ドラム１上から除去されて回収される。
【手続補正５】
【補正対象書類名】明細書
【補正対象項目名】００４２
【補正方法】変更
【補正の内容】
【００４２】
６．本実施例における供給動作
本実施例では、制御部（実行部）５０は、ジョブの画像形成の終了後の後回転時に、所定のトナー像（供給トナー）を感光ドラム１に形成し、このトナー像のトナーをクリーニング部ＣＬに供給する供給動作を実行させることができる。本実施例では、この所定のトナー像として、搬送方向と略直交する方向（長手方向）の長さが感光ドラム１の長手方向における画像形成領域の全域にわたる、帯状のトナー像（ここでは、「トナー帯」ともいう。）が形成される。トナー帯は、帯電工程、露光工程を行って感光ドラム１に所定の静電潜像を形成し、この所定の静電潜像を現像することで形成することができる。あるいは、トナー帯は、露光工程（更には帯電工程）を行わずに、感光ドラム１の表面電位と現像スリーブ４１の電位との電位差により、現像部において現像スリーブ４１から感光ドラム１にトナーを転移させて形成してもよい。この場合、典型的には、感光ドラム１の帯電ローラ２で帯電処理されていない領域の表面電位と、画像形成時と同等の現像電圧が印加された現像スリーブ４１の電位との電位差で、トナー帯を形成することができる。
【手続補正６】
【補正対象書類名】明細書
【補正対象項目名】００７０
【補正方法】変更
【補正の内容】
【００７０】
実施例１、２では、トナー帯の搬送方向の長さを変更することで、トナー帯のトナー量を変更した。これに対して、本実施例では、トナー帯の濃度（単位面積当たりのトナーの重量［ｍｇ／ｃｍ２］）を変更することで、トナー帯のトナー量を変更する。つまり、本実施例では、制御部５０は、供給動作で感光ドラム１に形成するトナー像（トナー帯）の濃度を変更することで、供給動作でクリーニング部ＣＬに供給するトナーの量を変更する。